(57)【要約】  吸収性物品は、第１の腰領域、第２の腰領域、及び第１の腰領域と第２の腰領域との間に配置された股領域、並びにトップシート、バックシート及び吸収性コアを備えるシャーシを含む。本物品はまた、シャーシに接合されている腰部機構、腰領域、及び当該腰領域におけるシャーシの長手方向外側に延在する部分を有することを含む。バックシートは、最大長さＬＢＳを有するバリア層を有する。吸収性コアは、吸収性材料及び最大長さＬＣＷを有し、ＬＣＷは、ＬＢＳと実質的に同じである。吸収性材料は、吸収性材料の堆積領域に配置される。吸収性材料の堆積領域は最大長さＬＡＢを有しており、ＬＡＢは、ＬＢＳの約９０％以上である。第１の吸収領域横方向縁部は、第１のバリア層横方向縁部から、長手方向の距離Ｄ１で配置され、Ｄ１は、ＬＢＳの５％以下である。
2020500631.tif 000002
【特許請求の範囲】
【請求項１】
第１の腰領域（１４）、第２の腰領域（１８）、及び前記第１の腰領域と第２の腰領域との間に配置された股領域（１６）と、
長手方向中心線（１００）及び横方向中心線（１１０）と、
トップシート（２４）、バックシート（２６）、及び前記トップシートと前記バックシートとの間に配置された吸収性コア（２８）を備えるシャーシ（２０）と、
前記第１及び／又は第２の腰領域において前記シャーシに接合されている腰部機構（３２）、並びに前記第１及び／又は第２の腰領域において前記シャーシの長手方向外側に延在して、遊び部分（３３０）を形成する部分と、
を備える、吸収性物品（１０）であって、
前記バックシートが、第１のバリア層横方向縁部（２６３）と第２のバリア層横方向縁部（２６４）との間に延在する、最大長さＬＢＳを有するバリア層（２６２）を備えており、
前記吸収性コアが、最大長さＬＣＷを有するコアラップ（２８２）に封入されている吸収性材料（２８０）を含み、ＬＣＷが、ＬＢＳと実質的に同じであり、
前記吸収性材料が、吸収性材料の堆積領域（２８４）に配置されており、前記吸収性材料の堆積領域は、第１の吸収領域横方向縁部（２９４）と第２の吸収領域横方向縁部（２９５）との間に延在する、最大長さＬＡＢを有する、
吸収性物品。
【請求項２】
ＬＡＢが、ＬＢＳの約９０％以上である、請求項１に記載の吸収性物品。
【請求項３】
前記第１の吸収領域横方向縁部が、前記第１のバリア層横方向縁部から、長手方向の距離Ｄ１で配置され、Ｄ１が、ＬＢＳの５％以下である、請求項１又は２に記載の吸収性物品。
【請求項４】
前記第２の吸収領域横方向縁部が、前記第２のバリア層横方向縁部から、長手方向の距離Ｄ２で配置されており、Ｄ２が、ＬＢＳの５％以下である、請求項１〜３のいずれか一項に記載の吸収性物品。
【請求項５】
前記遊び部分が、約１５ｍｍ以上、又は約２０ｍｍ以上の長さＥをなす、請求項１〜４のいずれか一項に記載の吸収性物品。
【請求項６】
前記バリア層が通気性をもつ、請求項１〜５のいずれか一項に記載の吸収性物品。
【請求項７】
前記腰部機構が通気性をもち、場合により前記腰部機構が前記バリア層よりも通気性をもつ、請求項１〜６のいずれか一項に記載の吸収性物品。
【請求項８】
ＣＲＣ試験法に準拠すると、少なくとも約２００ｇの全吸収能を更に含む、請求項１〜７のいずれか一項に記載の吸収性物品。
【請求項９】
前記腰部機構がポケット（３３）を備える、請求項１〜８のいずれか一項に記載の吸収性物品。
【請求項１０】
前記腰部機構の一部が、前記吸収性コアの周辺を少なくとも部分的に包んでいる、請求項１〜９のいずれか一項に記載の吸収性物品。
【請求項１１】
前記物品がパンツ（１２）を含む、請求項１〜１０のいずれか一項に記載の吸収性物品。
【請求項１２】
最大長さＬを更に含み、前記バリア層の前記最大長さＬＢＳが、Ｌの約７５％未満であり、かつ／又は前記最大長さＬが、約６００ｍｍ以下である、請求項１〜１１のいずれか一項に記載の吸収性物品。
【請求項１３】
前記第１の吸収領域横方向縁部が、第１の腰部縁部（１３）の約５０ｍｍ以内にある、請求項１〜１２のいずれか一項に記載の吸収性物品。
【請求項１４】
前記吸収性材料が、約１５重量％以下のセルロース系材料を含む、請求項１〜１３のいずれか一項に記載の吸収性物品。
【請求項１５】
前記吸収性材料の堆積領域が、吸収領域を含み、前記バリア層がバリア層領域を含み、前記吸収領域が、前記バリア層領域の少なくとも約９０％である、請求項１〜１４のいずれか一項に記載の吸収性物品。
【発明の詳細な説明】
【技術分野】
【０００１】
本発明は、吸収性物品、特に、吸収性コアを有する吸収性物品に関する。本物品は、機能特性及び／又は伝達特性を改善することができる。
【背景技術】
【０００２】
尿又は大便などの身体排出物を受容しかつ保持するための使い捨て吸収性物品は、当分野において周知である。これらの例としては、使い捨ておむつ、トレーニングパンツ及び成人失禁用物品が挙げられる。通常、使い捨ておむつは、着用者の身体に面する液体透過性トップシート、着用者の衣類に面する液体不透過性バックシート及び液体透過性トップシートとバックシートとの間に介在する吸収性コアを含む。
【０００３】
使い捨て吸収性物品の重要な構成要素は、吸収性コアである。吸収性コアは、吸収性ゲル化材料（ＡＧＭ）又は超吸収性ポリマー樹脂とも呼ばれる、ヒドロゲル形成ポリマー材料などの超吸収性ポリマー材料を通常、含む。この超吸収性ポリマー材料は、多量の体液、例えば尿を、その使用中の吸収性物品によって吸収し、封じ込めることができ、こうして再湿潤化を低減し、良好な皮膚の乾燥を実現することを保証する。
【０００４】
しかし、製造の制約を考慮すると、今日まで、製造業者は使い捨て物品の吸収領域を最大にすることに苦労してきた。実際、吸収性コアは、製造ラインを減速させない、及び／又はコアの望ましくない切断及び／又は不適切な位置決めなどを引き起こさないような様式で作製されて配置されなければならない。例えば、吸収性コアの連続ウェブから個々の吸収性コアを切断した後、各個々のコアを前進するトップシート又はバックシートウェブ上の所望の位置に正確に配置しなければならないことがある。一部の製造構成では、個々の吸収性コアの速度は、トップシート又はバックシートウェブ上に配置する前に向上又は低下させる必要がある。一部の例では、接着剤はまた、前進するウェブ上の個別のゾーンに塗布する必要があり、接着アプリケータの比較的頻度の高いオン／オフサイクルを必要とする。高品質の生産を確実にする一助とするため、個々の吸収性コアの配置は、比較的高速のセンサ及び関連する制御装置技術を用いて入念に監視及び制御される必要があり得る。したがって、個々のコアを前進するウェブに正確に切断、配置、制御及び／又は接合するために必要とされる機械により、製造ラインに複雑さ及び費用が加わり、同時に信頼性が低下する可能性がある。更に、前述の課題は、比較的高速の生産速度で動作する、及び／又は比較的小さいサイズの吸収性物品を組み立てるように構成された吸収性物品の組み立て工程において悪化することがある。１つのタイプの製品におけるこれらの問題の対処には、別のタイプの製品で同じ問題に対処する場合とは異なるパラメータ及び制御が必要になることがある。
【０００５】
更に、製造業者がより低い生産コストを維持しながら高品質の製品を提供することとのバランスをとる１つの方法は、異なるタイプの物品に同じ構成要素を使用することによるものである。例えば、トレーニングパンツ及びテープ付きおむつは、異なる構成であり、ある種の機能的な相違点を有するが、製造業者は、構成された各タイプの物品に対して、独自の吸収性コアを作製するよりもむしろ、両方のタイプの物品において同じ吸収性コアを使用することができる。実際に、異なる基本構成要素の作製により、生産コスト（例えば、ライン、機械、生産時間などの追加）が上昇する。したがって、製造業者は、さまざまな物品に構成要素を組み込むため、構成要素（又は物品の一部）のサイズ変更、位置変更又は他には改変によって、２つ以上のタイプの物品に構成要素（例えば、吸収性コア）を使用することがある。しかし、このようなサイズの変更、位置変更及び／又は改変により、追加の加工工程などの、製造の複雑さが増す。
【０００６】
更になお、吸収性物品の吸収性設置面積の増大を試みる際に、製造業者は、他の特徴に妥協しなければならない。例えば、吸収性材料がないが快適性及び装着性を増強し得るチャネルが、より大きな吸収力を理由に、犠牲にされることがある。同様に、適切な装着性を確実にするため、比較的大きな面積を必要とする腰部機構及びベルトが、吸収性材料のための空間を増大させるため、サイズが縮小されることがある。
【０００７】
造業者が直面する問題のため、吸収性物品は、多くの場合、空間の使用が不十分となり、したがって、可能な吸収性よりも低い吸収性しか有さない。
【発明の概要】
【発明が解決しようとする課題】
【０００８】
したがって、利用可能な空間を効率的に利用する物品が必要とされている。更に、快適性及び／又は装着性も実現しながら、望ましい吸収力を有する物品が必要とされている。製品が、所望のとおりに働くことを視覚的に確実にすること、並びに衣服のような及び／又は柔らかい外観を実現することと同時に、所望の吸収力を有する物品もやはり必要とされている。
【課題を解決するための手段】
【０００９】
吸収性物品は、第１の腰領域、第２の腰領域、及び第１の腰領域と第２の腰領域との間に配置された股領域、並びに長手方向中心線及び横方向中心線を備える。本物品は、トップシート、バックシート、及びトップシートとバックシートとの間に配置された吸収性コアを備えるシャーシを更に含む。吸収性コアは、吸収性材料の堆積領域に配置された吸収性材料を備えてもよい。腰部機構は、第１及び／又は第２の腰領域においてシャーシに接合されている。腰部機構は、当該第１及び／又は第２の領域においてシャーシの長手方向外側に延在する遊び部分を含む。
【００１０】
ある種の実施形態では、バックシートは、第１のバリア層横方向縁部と第２のバリア層横方向縁部との間に延在する、最大長さＬＢＳを有するバリア層を備える。吸収性コアは、吸収性材料を囲繞し、かつ最大長さＬＣＷを有するコアラップを備える。吸収性材料の堆積領域は、第１の吸収領域横方向縁部と第２の吸収領域横方向縁部との間に延在する、最大長さＬＡＢをなす。ＬＣＷは、実質的にＬＢＳと同じであり、ＬＡＢは、ＬＢＳの約９０％以上とすることができる。第１の吸収領域横方向縁部は、第１のバリア層横方向縁部から、長手方向の距離Ｄ１に配置され得、この場合、Ｄ１は、ＬＢＳの５％以下である。
【００１１】
更なる実施形態では、バックシートは、第１のバリア層横方向縁部と第２のバリア層横方向縁部との間に延在する、最大長さＬＢＳを有するバリア層を備え、吸収性コアは、第１の吸収領域横方向縁部及び第２の吸収領域横方向縁部を有する吸収性材料の堆積領域に配置されている吸収性材料を備える。第１の吸収領域横方向縁部は、第１の腰部縁部の約５０ｍｍ以内とすることができ、遊び部分は、少なくとも約１０ｍｍとなる長さＥを含むことができる。吸収性材料は、約１５重量％以下のセルロース系材料を含んでもよい。
【００１２】
一部の実施形態では、バックシートは、バリア層領域を有するバリア層を備え、吸収性材料の堆積領域は吸収領域を備える。吸収領域は、バリア層領域の少なくとも約９０％とすることができる。
【図面の簡単な説明】
【００１３】
【図１】本発明の非限定的な一実施形態による、例示的な吸収性パンツの斜視図である。
【図２】本発明の非限定的な実施形態による、例示的な吸収性パンツの前駆構造体の概略平面図である。この構造は、平坦な非収縮状態で示されている。
【図３】内側特徴を例示するため、層を取り外した、図２における例示的な実施形態の概略平面図である。
【図４】本発明の非限定的な実施形態による、例示的な吸収性コアの概略横断面図である。
【図５Ａ】腰部機構の例示的な実施形態の概略部分側立面図である。
【図５Ｂ】腰部機構の例示的な実施形態の概略部分側立面図である。
【図６】本発明の非限定的な実施形態による、例示的な吸収性パンツの前駆構造体の概略平面図である。
【図７】本発明の非限定的な実施形態による、例示的な吸収性物品の概略平面図である。
【図８】本発明の非限定的な実施形態による、例示的な吸収性パンツの前駆構造体の概略平面図である。
【図９Ａ】線分９Ａ−９Ａに沿って切り取った、図８の吸収性パンツの概略断面図である。
【図９Ｂ】線分９Ｂ−９Ｂに沿って切り出した、図８の吸収性パンツの概略断面図である。
【発明を実施するための形態】
【００１４】
定義
吸収性物品に関連する「使い捨て」は、その吸収性物品について、洗濯するか、又は別の方法で吸収性物品として復元されるか若しくは再利用されることが、一般的に意図されていないこと（すなわち、それらの吸収性物品について、１回の使用後に廃棄される、好ましくは、リサイクル、コンポスト化、又はその他の環境に適合する方法で廃棄されることが意図されていること）を意味する。
【００１５】
「吸収性物品」とは、身体排泄物を吸収及び封じ込める器具を指し、より詳細には、着用者の身体に接して、又は着用者の身体の近位に置かれて、身体から排出されるさまざまな排泄物を吸収し、封じ込める器具を指す。吸収性物品の例としては、おむつ、トレーニングパンツ、プルオンパンツ式おむつ（すなわち、米国特許第６，１２０，４８７号に例示されているようなあらかじめ形成された腰部開口部及び脚部開口部を有するおむつ）、再固定可能なおむつ若しくはパンツ型おむつ、失禁用ブリーフ及び下着、おむつホルダ及びライナー、パンティライナーなどの婦人用衛生衣類、吸収性挿入物などが挙げられる。実施形態では、吸収性物品は、使い捨てであってもよい。
【００１６】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１７】
「長手方向」とは、物品の腰部縁部から反対側の腰部縁部まで実質的に垂直に、及び物品の最大直線寸法に一般に平行に延びる方向を指す。長手方向の４５度以内の方向は、「長手方向」と見なす。
【００１８】
「横方向の」とは、物品の長手方向縁部から反対側の長手方向縁部に向かって、長手方向に対して一般に直角に延びる方向を指す。横方向の４５度以内の方向は、「横方向」と見なす。
【００１９】
「配置される」とは、要素が、ある特定の場所又は位置に置かれていることを指す。
【００２０】
「接合された」とは、１つの要素を他の要素に直接付着させることによって、その要素が別の要素に直接、貼り付けられている構成、及び要素を中間部材に付着させ、その中間部材が更に他の要素に貼り付けられていることによって、その要素が他の要素に間接的に貼り付けられている構成を指す。
【００２１】
「フィルム」とは、材料の長さ及び幅が材料の厚さを大きく上回るシート状材料を指す。一般的には、フィルムは約０．５ｍｍ以下の厚さを有する。
【００２２】
「透水性」及び「不透水性」は、使い捨て吸収性物品が所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」は、層又は層構造体が、（重力などの自然の力の他に）押し圧がない状態では、液体の水、尿又は合成尿が層又は層構造体の厚さを通過できないことを指す。この定義により不透水性の層又は層状構造体は、水蒸気に対して透過性であってもよい（すなわち、「蒸気透過性」であってもよい）。
【００２３】
「伸長可能な」、「伸張可能な」又は「伸縮性の」は、互換的に使用され、材料が、ＥＤＡＮＡ法２０．２−８９により測定した場合、バイアス力を加えた際には、破裂又は破断することなく、弛緩した元の長さの少なくとも約１１０％の伸長長さまで引き伸ばすことができ（すなわち、その元の長さよりも１０％長く引き伸ばすことができ）、加えた力を解放すると、完全に破裂又は破断することなく、その伸長量の約２０％未満というわずかな回復を示すことを指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸張することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸張することができ、力を取り除くと少なくとも１４５ｍｍの長さまで収縮する（すなわち、１０％の回復を示す）。エラストマー性材料としては、エラストマー性フィルム（以下に限定されないが、ゴム及び／又は他のポリマー材料から誘導されるフィルムを含む）、ポリウレタンフィルム、エラストマー性発泡体、スクリム、弾性不織布、ＬＹＣＲＡ（登録商標）などの合成繊維及び他のシート様構造体を挙げることができる。
【００２４】
「パンツ」とは、あらかじめ形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉鎖型おむつ」、「事前固定式おむつ」、「プルオン式おむつ」、「トレーニングパンツ」及び「おむつパンツ」とも呼ばれる。
【００２５】
吸収性物品
本発明の例は、パンツを参照するものとして本明細書に記載されているが、吸収性物品（例えば、テープ式おむつ）の他の形態が、同様に本発明の範囲内にある。
【００２６】
図１は、パンツ１２の形態の例示的な吸収性物品１０を例示している。図２は、平坦な非収縮状態で示されている吸収性パンツ１２に対する前駆構造体を例示している。図２に示されているとおり、吸収性物品１０は、第１の腰領域１４、第２の腰領域１８、及び第１と第２の腰領域との間に配置されている股領域１６を備える。物品１０は、第１の腰部縁部１３、及び第１の腰部縁部１３から実質的に対向する第２の腰部縁部１９、及び２つの長手方向縁部１７を更に含む。腰領域１４及び１８は、着用時に着用者の腰部を取り囲む、吸収性物品１０の部分を全体として含んでいる。腰領域１４及び１８は、装着性及び封入性を改善するため、着用者の腰周りでひだが付くよう、弾性部材を含んでもよい。股領域１６は、吸収性物品１０が着用されると、着用者の両脚の間に概ね位置付けられる吸収性物品１０の部分である。
【００２７】
物品１０は、長手方向中心線１００及び横方向中心線１１０を更に備える。更に、物品１０は、第１の腰部縁部と第２の腰部縁部との間に延在する、最大長さＬをなす。一部の実施形態では、最大長さは、約６００ｍｍ以下、又は約４００ｍｍ以下、又は約２００ｍｍ〜約８００ｍｍであり、当該範囲について、この範囲内の１０ｍｍ増分毎に列挙している。長さは、本明細書において、物品が平坦な非収縮状態にある時に測定される。不規則形状の場合、反対側の縁部上の最外点が整列され得ない場合、最大長さは、長手方向中心線に平行に測定されるそのような両最外点の間の距離となる。言い換えると、最大長さは、あたかも最外点が整列されているかのごとく、測定される。
【００２８】
物品１０はまた、液体透過性トップシート２４、バックシート２６、及びトップシート２４とバックシート２６との間の吸収性コア２８を備えていてもよい、シャーシ２０を備える。トップシート２４は、コア２８及び／又はバックシート２６に接合されていてもよい。バックシート２６は、コア２８及び／又はトップシート２４に接合されていてもよい。コア２８とトップシート２４との間、及び／又はコア２８とバックシート２６との間に、他の構造体、要素又は基材が位置付けられていてもよいことを理解すべきである。一部の実施形態では、トップシート２６と吸収性コア２８との間に、捕捉分散システム３０が配置される。
【００２９】
シャーシ２０は、第１の横方向シャーシ縁部２１及び第２の横方向シャーシ縁部２２を備えてもよい。シャーシはまた、長手方向のシャーシ縁部２３を備えてもよい。物品の少なくとも一部に関すると、横方向シャーシ縁部２１、２２は、物品の長手方向縁部１７と境界を接していてもよい。
【００３０】
特定の実施形態では、シャーシ２０は、複合吸収性物品構造を形成するために付加される他の機構と共に、吸収性物品１０の主要構造を含む。トップシート２４、バックシート２６及び吸収性コア２８は、さまざまな周知の構成で組み立てられ得るが、吸収性物品の構成は、米国特許第３，８６０，００３号、同第５，１５１，０９２号、同第５，２２１，２７４号、同第５，５５４，１４５号、同第５，５６９，２３４号、同第５，５８０，４１１号及び同第６，００４，３０６号に一般に記載されている。
【００３１】
物品１０は、腰部機構３２を更に含んでもよく、第１及び／又は第２の腰領域においてシャーシ２０に接合されていてもよい。腰部機構３２は、当該腰領域における、シャーシの長手方向及び／又は横方向の外側方向に延在してもよい。更なる実施形態では、腰部機構３２は、ベルト３４を備える。図１及び２に例示されているとおり、ベルト３４は、第１の腰領域に配置されている前方部分３６、及び第２の腰領域に配置されている後方部分３８を備えてもよい。パンツ１２の最終アセンブリにおいて、前方ベルト部分３６は、シーム４０において、後方ベルト部分３８に接合していてもよく、これは、恒久的であってもよく、再固定可能であってもよい。パンツ１２を形成するため、前駆構造体を横方向中心線１１０で又はその周辺で折り畳み、トップシート２４が内側に面するようにし、前方３６及び後方の３８のベルト部分の長手方向縁部が、シーム４０で接合され、脚部開口部、前方腰部縁部１３及び後方腰部縁部１９を有するパンツ構造体を形成することができる。このように、パンツ１２は、パンツ１２の着用時に、着用者のために、あらかじめ形成された連続腰部開口部及びあらかじめ形成された連続脚部開口部を備えてもよい。
【００３２】
吸収性物品の特徴を、以下に更に詳細に記載する。
【００３３】
トップシート
トップシート２４は、概して、着用者に少なくとも部分的に接触して又は近接近して位置し得る、吸収性物品１０の一部である。好適なトップシート２４は、多孔質発泡体、網状発泡体、有孔プラスチックフィルム、又は天然繊維（例えば、木材繊維又は綿繊維）、合成繊維（例えば、ポリエステル繊維又はポリプロピレン繊維）、又は天然繊維と合成繊維との組合せ物の織布ウェブ又は不織布ウェブなどの幅広い範囲の材料から製造することができる。トップシート２４は、一般に、着用者の肌に対してしなやかで柔らかい感触であり、非刺激性である。一般に、トップシート２４の少なくとも一部は、液体透過性であり、液体をトップシート２４の厚みを通って容易に透過させることができる。本明細書において有用なトップシート２４の１つは、ＢＢＡ  Ｆｉｂｅｒｗｅｂ（Ｂｒｅｎｔｗｏｏｄ，ＴＮ）から供給元コード０５５ＳＬＰＶ０９Ｕとして入手可能である。トップシート２４は、有孔であってよい。
【００３４】
トップシート２４の任意の部分が、当分野において公知のローション又はスキンケア組成物によりコーティングされていてもよい。好適なローションの非限定例としては、米国特許第５，６０７，７６０号、同第５，６０９，５８７号、同第５，６３５，１９１号及び同第５，６４３，５８８号に記載されているものを含む。具体例は限定されず、当分野において公知の任意のローション又はスキンケア組成物が利用され得る。トップシート２４とコア２８との間に空隙空間が設けられるよう、トップシート２４が、全体に又は部分的に弾性化されていてもよく、又は縮小されていてもよい。弾性化又は縮小されたトップシートを含む例示的な構造体が、米国特許第４，８９２，５３６号、同第４，９９０，１４７号、同第５，０３７，４１６号及び同第５，２６９，７７５号に一層詳細に記載されている。
【００３５】
吸収性コア
図３及び４に転じると、吸収性コア２８は、吸収能力の大半を有し、かつ吸収性材料、及び吸収性材料２８０を封入するコアラップ又はコアバッグ（これらは本明細書において互換的に使用される）を備える、吸収性物品の構成要素である。用語「吸収性コア」は、捕捉及び／若しくは分配システム３０、或いはコアラップ２８２の一体部分でもコアラップ２８２内に配置もされていない、物品の他のいかなる構成要素も含まない。吸収性コア２８は、コアラップ２８２、吸収性材料（例えば、超吸収性ポリマー）２８０、及び場合により１つ又は複数の接着部２８１を含む、それらから本質的になる、又はそれらからなり得る。
【００３６】
「吸収性材料」とは、超吸収性ポリマー材料（「ＳＡＰ」）、セルロース繊維、及び合成繊維などの何らかの吸収特性又は液体保持特性を有する材料を意味する。通常、吸収性コアの作製に使用される接着剤は、吸収特性をまったく又はほとんど有せず、吸収性材料とは見なされない。ＳＡＰ含有量は、コアラップ２８２内に収容される吸収性材料２８０の重量の８０％超、例えば少なくとも８５％、少なくとも９０％、少なくとも９５％、少なくとも９９％、更には１００重量％を含め、最大で１００％とすることができる。これにより、通常、４０％〜６０％のＳＡＰ及び高含量のセルロース繊維を含む従来のコアと比較して、相対的に薄いコアが得られる。しかし、従来のコアもまた、本開示の範囲内にある。吸収性材料２８０は、約１５重量％以下、又は約１０重量％以下、又は約５重量％以下、又は約３重量％以下、又は約２重量％以下、又は約１重量％以下、又は微量のセルロース繊維しか含み得ず、又はセルロース繊維を含まなくてもよい。微量のセルロース系材料は、実質的にセルロースを含まない吸収性コアの一部の薄さ、可撓性、及び吸収性のうちの少なくとも１つに実質的に影響を及ぼさないことを理解すべきである。他の利点の中でも、吸収性コアの少なくとも一部が実質的にセルロースを含まない場合、吸収性コアのこの部分は、１０重量％超のセルロース繊維を含む、同様の吸収性コアよりも著しく薄く、高い可撓性があると考えられる。
【００３７】
本明細書で使用する場合、「超吸収性ポリマー（ＳＡＰ）」は、遠心保持容量（Centrifuge Retention Capacity：ＣＲＣ）試験（ＥＤＡＮＡ法ＷＳＰ  ２４１．２−０５Ｅ）を使用して測定すると、その重量の少なくとも１０倍の０．９％生理食塩水溶液を吸収することができる架橋ポリマー材料である吸収性材料を指す。使用されるＳＡＰは、２０ｇ／ｇ超、２４ｇ／ｇ超、２０〜５０ｇ／ｇ、２０〜４０ｇ／ｇ、又は２４〜３０ｇ／ｇのＣＲＣ値を有してもよく、具体的には、上記に指定した範囲内、及びその範囲内で又はその範囲によって作られる任意の範囲内の、すべての０．１ｇ／ｇ刻みが列挙される。本開示により有用となるＳＡＰとしては、非水溶性ではあるが大量の流体を吸収することができる、さまざまな水膨潤性ポリマーを挙げることができる。ＳＡＰは、通常、粒子形態（超吸収性ポリマー粒子）であってもよいが、例えば超吸収性ポリマー発泡体などの他の形態のＳＡＰも使用できることを除外するものではない。こうして、吸収性コアを、比較的薄い、具体的には、セルロース繊維を含む従来のコアよりも薄くすることができる。
【００３８】
本発明に有用なＳＡＰは、粒子であることを含めて、さまざまな形状であってもよい。用語「粒子」は、顆粒、繊維、フレーク、球体、粉末、小板、並びに超吸収性ポリマー粒子の当業者に公知の他の形状及び形態を指す。一部の実施形態では、ＳＡＰ粒子は、繊維の形状、すなわち細長い針状の超吸収性ポリマー粒子とすることができる。こうした実施形態では、超吸収性ポリマー粒子繊維は、約１ｍｍ未満、通常、約５００μｍ未満、好ましくは２５０μｍ未満から５０μｍまでの小さい寸法（すなわち、繊維の直径）を有する。繊維の長さは、好ましくは、約３ｍｍ〜約１００ｍｍである。繊維はまた、編み込むことが可能な長いフィラメントの形態とすることもできる。
【００３９】
通常、ＳＡＰは、球状粒子である。繊維とは対照的に、「球状粒子」は、粒子の最長粒子寸法対最短粒子寸法の比が１〜５の範囲内である最長及び最短の寸法を有しており、値１は完全な球形の粒子に等しく、値５は、このような球状粒子からある程度の逸脱を許容する。超吸収性ポリマー粒子は、ＥＤＡＮＡ法ＷＳＰ  ２２０．２−０５にしたがって測定すると、８５０μｍ未満、又は５０〜８５０μｍ、好ましくは１００〜７１０μｍ、より好ましくは１５０〜６５０μｍの粒子サイズを有してもよい。比較的小さな粒子サイズを有するＳＡＰは、液体排泄物と接触する吸収性材料の表面積の増加に役立ち、したがって液体排泄物の迅速な吸収を支援する。
【００４０】
ＳＡＰは、４５μｍ〜４０００μｍの範囲の粒子サイズ、より詳細に４５μｍ〜約２０００μｍ、又は約１００μｍ〜約１０００μｍ、８５０μｍ若しくは６００μｍの範囲内の粒子サイズ分布を有してもよい。微粒子形態の材料の粒子サイズ分布は、当分野において公知のように、例えば、乾式篩ふるい分け分析（ＥＤＡＮＡ  ４２０．０２「Ｐａｒｔｉｃｌｅ  Ｓｉｚｅ  ｄｉｓｔｒｉｂｕｔｉｏｎ」）によって求めることができる。
【００４１】
本明細書における一部の実施形態では、例えば、欧州特許第０，６９１，１３３（Ａ）号において説明されている方法により測定可能なように、超吸収性材料は、質量中間粒子サイズ（mass medium particle size）が、最大２ｍｍ、或いは５０ミクロン〜２ｍｍ又は１ｍｍ、或いは好ましくは１００又は２００又は３００又は４００又は５００μｍ〜１０００又は８００又は７００μｍの粒子の形態である。本発明の一部の実施形態では、超吸収性ポリマー材料は、粒子の形態であり、少なくとも８０重量％は、５０μｍ〜１２００μｍのサイズの粒子であって、上記のその範囲の組合せのいずれかの間の質量メジアン粒子サイズを有する粒子である。加えて、又は本発明の別の実施形態では、当該粒子は、本質的に球体である。本発明の更に別の又は追加的な実施形態では、超吸収性ポリマー材料は、比較的狭い範囲の粒子サイズを有しており、例えば、粒子の大多数（例えば、少なくとも８０重量％、又は好ましくは少なくとも９０重量％、又は更には少なくとも９５重量％）が、５０μｍ〜１０００μｍ、好ましくは１００μｍ〜８００μｍ、より好ましくは２００μｍ〜６００μｍの粒子サイズを有する。
【００４２】
吸収性ポリマー粒子は、ポリアクリレート、及び例えば部分的に中和された架橋ポリアクリレート又は酸ポリアクリレートなどの内部架橋及び／又は表面架橋されているポリアクリレートをベースとする材料の中から選択され得る。本開示において好適な吸収性ポリマー粒子の例は、例えば、ＰＣＴ特許出願ＷＯ０７／０４７５９８、ＷＯ０７／０４６０５２、ＷＯ２００９／１５５２６５、及び同ＷＯ２００９／１５５２６４に記載されている。粒子状吸収性ポリマー材料は、ポリ（メタ）アクリル酸ポリマーで作製され得る。しかし、デンプンをベースとする粒子状吸収性ポリマー材料、並びにポリアクリルアミドコポリマー、エチレン無水マレイン酸コポリマー、架橋カルボキシメチルセルロース、ポリビニルアルコールコポリマー、架橋ポリエチレンオキシド、及びポリアクリロニトリルのデンプングラフトコポリマーも使用されてもよい。
【００４３】
吸収性コアは、１つ又は複数のタイプのＳＡＰを含んでもよい。好適なＳＡＰは、例えば、米国特許第４，３４０，７０６号及び同第５，８４９、８１６号に記載されている逆相懸濁重合から、又は米国特許出願第２００９／０１９２０３５号、同第２００９／０２５８９９４号及び同第２０１０／００６８５２０号に記載されている、噴霧液相分散重合又は他の気相分散重合から得ることができる。一部の実施形態では、好適なＳＡＰは、ＷＯ２００６／０８３５８４に記載されている方法により得ることができる。
【００４４】
大部分の吸収性物品の場合、着用者からの液体排出は、主に、吸収性物品の前半部で発生する。したがって、物品の前半部（前方縁部１３と横方向中心線１１０との間の領域によって画定される）が、コアの吸収能力の大部分を占めてもよい。したがって、ＳＡＰの少なくとも６０％、又はＳＡＰの少なくとも６５％、７０％、７５％、８０％若しくは８５％が、吸収性物品の前半部に存在し得、残りのＳＡＰが吸収性物品の後半部に配置され得る。或いは、ＳＡＰの分布は、コア全体で均一であってもよく、又は他の好適な分布を有してもよい。
【００４５】
図４に示されるとおり、吸収性材料２８０は、吸収層２８８を形成する支持シート２８６上に配置されてもよい。一部の実施形態では、コア２８は、吸収性材料２８０をその上に堆積して有する第２の支持シート２８６’を備える、第２の層２８８’を更に備える。第２の吸収層は、第１の吸収層と同一であってもよく、又は異なっていてもよい（例えば、異なるチャネル、異なるチャネル数、異なる接着部、異なる接着用途又はそれらの組合せを有する）。
【００４６】
支持シート２８６は、図４に示されているとおり、吸収性材料を囲繞して、コアラップ２８２を形成してもよく、又は２枚の支持シート２８６及び２８６’は、接合されて、コアラップ２８２を形成してもよい。一実施形態では、コアラップ２８２は、コア２８の差最上側を概ね形成する最上層、及びコア２８の最下側を概ね形成する最下層を備えてもよい。最上層及び最下層は、同一材料又は異なる材料（最上層は、例えば親水性処理されており、かつ／又は最下層は、例えば本質的に疎水性であるが空気透過性である）とすることができる、２つの個別の基材（例えば、支持シート２８６、２８６’）により形成されてもよい。吸収性材料２８０をより良好に収容するためにコアラップ２８２の前方縁部及び後方縁部に沿って封止部が存在してもよいが、多くのコアはこのような横断方向の封止を有していない。一部の実施形態では、最上層及び最下層は、接着又はその他の方法によって取り付けられて、コアの長手方向に延在する側縁部のそれぞれに沿って、少なくとも１つのＣラップ封止を形成することができる。しかし、他の公知のコアラップ構成のいずれが使用されてもよく、例えば、この場合、コアラップは、長手方向の単一封止により吸収性材料の周辺を包み込む単一ウェブから形成される。
【００４７】
基材２８２は、吸収性材料を受容及び収容するのに好適な任意の材料によって形成され得る。従来のコアの生産において使用される典型的な基材材料、特に紙、ティッシュ、フィルム、織布若しくは不織布、又はこれらのいずれかの積層体が使用され得る。コアラップは、特に、カード不織布、スパンボンド不織布（「Ｓ」）、又はメルトブローン不織布（「Ｍ」）、及びこれらのうちのいずれかの積層体などの不織布ウェブによって形成されてもよい。例えば、スパンメルトポリプロピレン不織布、特に、積層体ウェブのＳＭＳ、又はＳＭＭＳ、又はＳＳＭＭＳ構造を有するもの、及び約５ｇｓｍ〜１５ｇｓｍの範囲の坪量を有するものが好適である。好適な材料は、例えば、米国特許第７，７４４，５７６号、米国特許出願公開第２０１１／０２６８９３２（Ａ１）号、同第２０１１／０３１９８４８（Ａ１）号、又は同第２０１１／０２５０４１３（Ａ１）号に開示されている。合成繊維から得た不織布材料、例えば、ＰＥ、ＰＥＴなど、具体的にはＰＰが使用されてもよい。
【００４８】
図３に戻ると、コアラップ２８２は、第１のコアラップの横方向縁部２９０と第２のコアラップの横方向縁部２９１との間に延在する、最大長さＬＣＷをなす。コアラップは、２つの長手方向縁部２９２、２９３を更に含んでもよい。誤解を回避するため、「縁部」は、本明細書で使用する場合、構成要素の最外部分を意味する。したがって、三次元構造を形成し得るコアラップなどの構成要素の場合、縁部は、単に構成要素が表面の高さを変える場合だけではなく、構成要素の外側の外周範囲となるものである。コアラップは、コアラップの外周内の数学的二次元領域となるコアラップ領域ＡＣＷを更に備える。
【００４９】
吸収性材料２８０は、図３に示されているとおり、コア２８の平面内で上から見た場合に吸収性材料の堆積領域２８４を画定する。吸収性材料の堆積領域２８４は、例えば、図３に示されているとおり、概ね矩形とすることができるが、「Ｔ字」若しくは「Ｙ字」又は「砂時計」若しくは「犬用の骨」形状など他の形状を使用することもできる。特に、堆積領域は、股領域１６においてその幅に沿ったテーパを示してもよい。このように、吸収性材料の堆積領域２８４は、股領域内に配置されることが意図されているコア２８０の領域において、比較的狭い幅を有してもよい。これにより、例えば、より良好な着用快適性を実現することができる。
【００５０】
吸収性材料の堆積領域２８４は、第１の吸収領域横方向縁部２９４、第１の吸収領域横方向縁部の実質的に対向する第２の吸収領域横方向縁部２９５、第１の吸収領域長手方向縁部２９６、及び第１の吸収領域長手方向縁部から実質的に対向する第２の吸収領域長手方向縁部２９７により画定され得る。吸収性材料の堆積領域は、第１の吸収領域横方向縁部と第２の吸収領域横方向縁部との間に延在する、最大長さＬＡＢを更になす。吸収性材料の堆積領域は、吸収性材料の堆積領域の外周内の数学的二次元領域である吸収領域ＡＡＢを更に構成してもよい。誤解を回避するため、吸収性材料の堆積領域は、非矩形形状を含めた任意の好適な形状であってもよい。したがって、吸収領域は、形状の領域を決定するための既知の数学的領域の算出によって決定される。一部の実施形態では、吸収領域の最大長さＬＡＢは、コアラップの長さＬＣＷ以下である。同様に、吸収領域ＡＡＢは、コアラップ領域ＡＣＷ以下とすることができる。
【００５１】
一部の実施形態では、（図３及び４に例示されているとおり）、吸収性コア２８は、吸収層２８８中の超吸収性ポリマー材料を実質的に含まない（例えば、これを含まない）１つ又は複数のチャネル２９を備えてもよい。ごく少量の超吸収性ポリマー粒子が偶発的にチャネル内に存在することがあり、これは、全体的な機能性に寄与しないことを理解すべきである。本明細書のこれ以降、以下で複数形の「チャネル」は、「少なくとも１つのチャネル」を意味するために使用される。
【００５２】
チャネルは、吸収性材料２８０、特にＳＡＰを実質的に含み得ない、吸収性材料の堆積領域内の区域によって形成されてもよい。更に又は代替的に、チャネルは、吸収性材料の堆積領域の全体にわたって、コアラップの最上側をコアラップの最下側に連続的に又は不連続的な接合によって形成されてもよい。チャネルは連続的であってもよいが、チャネルが断続的であることも除外されない。吸収層２８８がセルロース誘導体又はセルロースを含む実施形態では、チャネル２９はまた、このようなセルロース誘導体／セルロース材料を含まなくてもよい。更に、チャネル２９は、吸収層２８８の厚さ（高さ）に沿って延在してもよい。
【００５３】
チャネル２９は、実質的に長手方向に延在してもよく、これは通常、チャネル２９が横方向寸法よりも長手方向寸法に長く延在し、通常、長手方向寸法が横方向寸法よりも少なくとも２倍長いことを意味する。したがって、これは、長手方向中心線１００に実質的に平行なチャネル２９を含み、これは、曲線となり得るチャネル２９を含むが、ただし、湾曲の半径は、通常、吸収層の平均横断寸法と少なくとも等しいことを条件とする（場合により、この平均横断寸法の少なくとも１．５倍、又は少なくとも２．０倍）。これは、真っ直ぐであるが、長手方向中心線１００に平行な線と約５°〜約３０°、又は最大約２０°まで、又は最大約１０°までの角度にあるチャネル２９を含む。これはまた、チャネル内に角度を有するチャネルを含んでもよいが、ただし、チャネルの２つの部分間の当該角度は、少なくとも１２０°、少なくとも１５０°であることを条件とし、これらの場合のいずれにおいても、チャネルの長手方向の伸張が横断方向の伸張よりも大きいことを条件とする。一部の実施形態では、少なくとも当該股領域１６には完全に又は実質的に横方向のチャネルは存在しなくてもよく、又はこのようなチャネルがまったく存在しなくてもよい。
【００５４】
チャネル２９は、股領域１６に少なくとも存在し得る。チャネルはまた、股領域から延在してもよく、又は一方若しくは両方の腰領域に存在していてもよい。コア２８は、２つ以上のチャネル２９を備えてもよい。一部の実施形態では、コア２８は、長手軸１００に対して対称に配列された、１つ又は複数の一対のチャネルを備えてもよい。
【００５５】
一部の実施形態では、長手軸１００と一致するチャネルが存在しない。長手軸に対して対称的な対として存在する場合、これらのチャネルは、それらの全長手方向寸法にわたって互いに離間して配置されてもよい。最小間隔距離は、例えば、少なくとも５ｍｍ、又は少なくとも１０ｍｍ、又は少なくとも１６ｍｍとすることができる。更に、流体漏出のリスクを低減するため、チャネル２９は、吸収性材料の堆積領域の縁部のいずれまでも通常、延在することはなく、したがって、吸収性材料の堆積領域２８４内に完全に包含されている。通常、チャネルと吸収性材料の堆積領域の最も近い縁部との間の最小距離は、少なくとも５ｍｍである。
【００５６】
チャネルの少なくとも一部又はすべてが有利には耐久性チャネルであり、このことは、それらの完全性が、乾燥状態及び湿潤状態の両方で少なくとも部分的に維持されることを意味する。耐久性チャネルは、例えば、チャネル壁内の支持層２８６を付着するための１つ又は複数の接着材料を設けることにより又は他の接合技法により得ることができる。耐久性チャネルはまた、チャネルを介して、コアラップ（例えば、第１の基材２８６及び第２の基材２８６’）の最上側と最下側を接合することにより特に形成され得る。通常、チャネルを通じてコアラップの両側を接合するために接着剤が使用され得るが、加圧接合法、超音波接合法若しくは熱接合法、又はそれらの組合せなどの他の公知の手段によって接合することが可能である。コアラップは、連続的に接合されてもよく、又はチャネルに沿って断続的に接合されてもよい。更なる実施形態では、チャネルは、トップシートから、及び／又はバックシートから、目視可能となり得る。一部の実施形態では、チャネルは、使用前にトップシート２４を見ると、目視可能である。更なる実施形態では、チャネルは、本明細書における湿式チャネル飽和度試験に開示されているとおり、物品に流体をロードした後、バックシートを見ると及び／又はトップシートを見ると、目視可能である。これは、膨潤しないようにチャネルにＳＡＰを実質的に含有させない、及び湿潤時に閉じることがないようにチャネルを十分に大きくすることによって得られることがある。更に、チャネルを介してコアラップをそれ自体に接合させることが有利となることがある。目視可能とは、チャネルが、その形状、輪郭、物品の構造の変化（例えば、刻み目形態及び／又は突起形態）、又はその他の方法によって、正常な視力を有する人の眼によって認識可能であることを意味する。
【００５７】
チャネル２９が、１枚より多い吸収層中に存在する場合、当該チャネルは、図４のように整列されていてもよく、又は整列されていなくてもよい。トップシート２４と吸収性コア２８との間の捕捉−分配システム３０若しくは任意の副層、又は物品の別の層もまた、チャネルを備えていてもよく、そのチャネルは、吸収性コアのチャネルと対応していてもよく、又は対応していなくてもよい。
【００５８】
また、吸収性コア中に存在するＳＡＰの総量は、想定されるユーザーに応じて更に変わってもよい。コア内のＳＡＰの量は、約５〜約５０ｇ、又は約５〜２０ｇであってもよく、具体的には、指定した範囲内、及びその範囲内で又はその範囲によって形成される任意の範囲内の、すべての０．１刻みが列挙される。ＳＡＰの堆積領域２８４内の平均ＳＡＰ坪量（又は、いくつか存在する場合、「少なくとも１つ」）は、少なくとも５０、１００、２００、３００、４００、５００ｇ／ｍ２、又はそれより大きくてもよい。この平均坪量を算出するために、吸収性材料の堆積領域２８４に存在するチャネル２９の面積が吸収性材料の堆積領域から推定される。
【００５９】
ＳＡＰの坪量（表面の単位あたりに堆積される量）はまた、コアの長手方向、横断方向、又はそれら両方の方向で、吸収性材料、特にＳＡＰのプロファイル化された分布を作製するように、堆積領域２８４に沿って変動させてもよい。したがって、コアの長手軸に沿って、及び横断方向軸に沿って、又はこれらの軸のいずれかに平行な任意の軸に沿って、吸収性材料の坪量は異なってもよい。したがって、比較的高い坪量の領域におけるＳＡＰの坪量は、比較的低い坪量の領域よりも、例えば、少なくとも１０％、又は２０％、又は３０％、又は４０％、又は５０％高くてもよい。特に、股領域の１つ又は複数の部分における吸収性材料の堆積領域中に存在するＳＡＰは、吸収性材料の堆積領域２８４の別の領域と比較して、表面の単位あたり、より多量のＳＡＰの堆積を有することができる。
【００６０】
物品１０は、上記で参照したＣＲＣ法によって測定すると、約１５０ｇ以上、又は約２００ｇ以上、又は約２５０ｇ以上の全吸収能を有することができる。
【００６１】
吸収性コア２８として使用するための例示的な吸収構造体は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び米国特許出願第１３／４９１，６４２号及び同第６２／２１０，１００号に記載されている。
【００６２】
バックシート
バックシート２６は、一般に、吸収性物品１０の表面に面する衣類の少なくとも一部となり得るように位置付けられる。バックシート２６は、吸収性物品１０によって吸収され、吸収性物品内に封じ込められた排泄物が、ベッドシーツ及び下着などの吸収性物品１０と接触し得る物品が汚すのを防止するように設計され得る。ある種の実施形態では、バックシート２６は、実質的に不透水性である。好適なバックシート２６の材料としては、Ｔｒｅｄｅｇａｒ  Ｉｎｄｕｓｔｒｉｅｓ  Ｉｎｃ．（Ｔｅｒｒｅ  Ｈａｕｔｅ、ＩＮ）により製造され、商品名Ｘ１５３０６、Ｘ１０９６２、及びＸ１０９６４で販売されているものなどのフィルムが挙げられる。他の好適なバックシート２６の材料としては、吸収性物品１０から蒸気を逃がすことはできるが、排泄物がバックシート２６をとおり抜けることを防止する通気性材料を挙げることができる。例示的な通気性材料としては、織布ウェブ、不織布ウェブ、フィルムコーティング不織布ウェブなどの複合材料、並びに微多孔質フィルムなどの材料（ＥＳＰＯＩＲ  ＮＯの名称で日本のＭｉｔｓｕｉ  Ｔｏａｔｓｕ  Ｃｏ．により製造されているもの、及びＥＸＸＡＩＲＥの名称でＥＸＸＯＮ  Ｃｈｅｍｉｃａｌ  Ｃｏ．（Ｂａｙ  Ｃｉｔｙ、ＴＸ）により製造されているものなど）を挙げることができる。ポリマーブレンドを含む好適な通気性複合材料は、ＨＹＴＲＥＬブレンドＰ１８−３０９７という名称で、Ｃｌｏｐａｙ  Ｃｏｒｐｏｒａｔｉｏｎ（Ｃｉｎｃｉｎｎａｔｉ、ＯＨ）から入手可能である。このような通気性複合材料は、国際公開第９５／１６７４６号及び米国特許第５，８６５，８２３号に、一層詳細に記載されている。不織布ウェブ及び孔形成フィルムを含めた他の通気性バックシートが、米国特許第５，５７１，０９６号に記載されている。例示的な好適なバックシートは、米国特許第６，１０７，５３７号に開示されている。以下に限定されないが、表面処理、特定のフィルムの選択及び加工、特定のフィラメントの選択及び加工などを含めた、他の好適な材料及び／又は製造技法が、好適なバックシート２６を提供するために使用されてもよい。
【００６３】
バックシート２６はまた、例えば、図５Ｂに示されている２つ以上の層からなってもよい。バックシート２６は、外側カバー２６０及びバリア層２６２を更に備えてもよい。外側カバー２６２は、軟質の不織布材料から作製されてもよい。バリア層２６２は、ポリマーフィルムなどの実質的に液体不透過性のフィルムから作製されてもよい。外側カバー及びバリア層は、１つ又は複数の接合部２６１によって一緒に接合されてもよく、この接合部は、接着剤により、又は任意の他の好適な材料又は方法により形成され得る。特に好適な外側カバーは、供給元コードＡ１８ＡＨ０としてＣｏｒｏｖｉｎ  ＧｍｂＨ（Ｐｅｉｎｅ、ドイツ）から入手可能であり、特に好適なバリア層は、供給元コードＰＧＢＲ４ＷＰＲとしてＲＫＷ  Ｇｒｏｎａｕ  ＧｍｂＨ（Ｇｒｏｎａｕ、ドイツ）から入手可能である。
【００６４】
一部の実施形態では、物品１０は、腰部機構３２を備え、外側カバー２６０は、シャーシを超えて延在し、腰部機構３２の一部、又は腰部機構３２の全体を覆う。更なる実施形態では、バリア層２６２の外周は、シャーシ２０の外周を画定することができる。単一相バックシートを備える実施形態では、バリア層２６の外周は、シャーシ２０の外周を画定することができる。
【００６５】
図３に戻ると、バリア層２６２は、バリア層の第１の横方向縁部２６３とバリア層の第２の横方向縁部２６４との間に延在する、バリア層の最大長さＬＢＳをなすことができる。バリア層２６２は、２つの対向する長手方向縁部２６５、２６６を更に備えることができる。更なる実施形態では、バリア層は、バリア層の外周内の数学的二次元領域であるバリア層領域ＡＢＳを含む。単一層のバックシートを備える実施形態では、バリア層長さＬＢＳ及び領域ＡＢＳを求める際に、バックシートの液体不透過性領域を使用する。一部の実施形態では、バリア層の最大長さＬＢＳは、物品の最大長さの約９０％以下、又は約８０％以下、又は約７５％以下、又は約５０％〜約９０％、又は約６０〜約８０％であり、各範囲について、この範囲内の約５％増分毎に列挙される。
【００６６】
本明細書においてさまざまなバックシート構成が企図されているが、本発明の趣旨及び範囲から逸脱することなくさまざまな他の変更及び修正が可能であることは当業者には明白であると思われる。
【００６７】
腰部機構
さまざまな図において示されているとおり、吸収性物品１０は、シャーシ２０に取り付けられた、少なくとも１つの腰部機構３２を含んでもよい。腰部機構３２は、通気性材料を含むことができ、これにより、腰部機構から空気及び／又は蒸気が移動するのを可能にし、これにより、着用者の快適性が増大する。一部の実施形態では、腰部機構は通気性があり、一部の実施形態では、バックシートより通気性が高い。非限定例では、腰部機構は、バックシートと少なくとも２倍の通気性、又は少なくとも５倍の通気性、又は約１０倍の通気性、又は約１００×の通気性、又は約２×〜約２００×、又は約５×〜約１００×の通気性をもち、各範囲について、この範囲内の２増分毎に列挙される。腰部機構３２は、水透過性であってもよい。一部の実施形態では、腰部機構の少なくとも一部は、孔が設けられている。代替的に、腰部機構３２は、水分非透過性であってもよい。
【００６８】
腰部機構３２は、シャーシの側面に面する身体、又はシャーシ２０の層の側面に面する身体に配置されてもよい（図７を参照されたい）。代替的に、腰部機構３２は、シャーシの側面に面する衣類（図２を参照されたい）、又はシャーシ２０の層の側面に面する衣類に配置されてもよい。別の実施形態では、腰部機構３２は、図５Ａ〜５Ｂに示されているとおり、シャーシの層の間、又はシャーシの層の周辺に配置されていてもよい。
【００６９】
更に、図５Ａ及び５Ｂを参照すると、腰部機構３２は、不織布、フィルム、不織布及び／若しくはフィルムの積層体、又はそれらの組合せを含んでもよい。一実施形態では、腰部機構３２は、材料の単一連続ウェブを含み、単一連続ウェブを折り畳むことにより形成され得る。他の実施形態では、腰部機構３２は、１つ超の材料ウェブ（例えば、接合されて１つの材料ウェブになる複数の材料ウェブ、又は使い捨て吸収性物品のシャーシとは別個になっており、かつ腰部機構の一部を形成する、複数の別個の材料ウェブ）から形成され得る。積層体を備える実施形態では、内部層は、外部層のものとは異なる材料ウェブから（ｆｏｒｍ）形成され得る。別個のウェブ中の構成要素材料は、同一であってもよく、又はそれらは、異なっていてもよい。一部の実施形態では、内部層も外部層も、シャーシとは一体ではない（すなわち、腰部機構はシャーシとは個別である）。
【００７０】
一部の実施形態では、腰部機構３２は、シャーシの複数の表面又はシャーシ内の層に配置される。例えば、腰部機構は、シャーシの部分と重なる衣類に面する部分３２０、及び／又はシャーシの部分と重なる身体に面する部分３２２を含むことができる。腰部機構は、シャーシを挟み込む２つの個別の材料ウェブ、又は材料のウェブがシャーシ周辺（図５Ａ）又はシャーシ内の層（図５Ｂ）を包むよう、折り畳まれる１つの材料ウェブを備えてもよい。腰部機構は、コアを少なくとも部分的に囲繞してもよい。ある種の実施形態では、腰部機構は、コアを少なくとも部分的に囲繞するよう折り畳まれる。
【００７１】
腰部機構３２は、例えば、図２及び３に示されているとおり、内側横方向縁部３２４、外側横方向縁部３２６、及び２つの長手方向縁部３２７、３２８を含む。腰部機構がベルトを備える実施形態では、各ベルト部分３６、３８は、内側横方向縁部３２４、外側横方向縁部３２６、及び２つの長手方向縁部３２７、３２８を含んでもよい。ベルト部分は、同じ１つ若しくは複数の寸法、及び／又は異なる１つ若しくは複数の寸法を有してもよい。ベルト部分を含めた腰部機構は、以下に限定されないが、矩形、非矩形及び／又はテーパ形状を含めた、任意の好適な形状を含んでもよい。
【００７２】
外側横方向縁部３２６は、図３に示されているとおり、近位のバリア層横方向縁部から長手方向の距離Ｅ離れて配置されてもよい。非限定例では、Ｅは、約１０ｍｍ以上、又は約１５ｍｍ以上、又は約２０ｍｍ以上、又は約２０ｍｍ〜約１００ｍｍであり、当該範囲について、この範囲内の５ｍｍ増分毎に列挙される。腰部機構は、その内側横方向縁部とその外側横方向縁部との間に延在する、長さＬＷをなすことができる。一部の実施形態では、例えばテープ式おむつの実施形態では、腰部機構の長さＬＷは、約１５ｍｍ以上、又は約２０ｍｍ以上、又は約２５ｍｍ以上、又は約３０以上、又は約１５ｍｍ〜約１５０ｍｍ、又は約３０ｍｍ〜約１００ｍｍとすることができ、各範囲について、この範囲内の５ｍｍ増分毎に列挙される。一部の実施形態では、例えば吸収性パンツの実施形態では、腰部機構の長さＬＷは、約７５ｍｍ以上、又は約１００ｍｍ以上、又は約５０ｍｍ〜約２５０ｍｍ、又は約７５ｍｍ〜約２００ｍｍとすることができる。腰部機構の外縁（例えば、横方向縁部及び長手方向縁部）は、腰部機構領域ＡＷＦ（すなわち、腰部機構の数学的二次元寸法領域）を画定する。ベルト部分の領域（ＡＷＦ、ＡＷＦ’）は同一であってもよく、又は異なってもよい。前方及び後方ベルト部分は、同一又は異なるＬＷ、ＬＷ’を有することができる。ベルトを有する一部の実施形態では、後方ベルト部分３８は、前方ベルト部分３６の長さＬＷよりも長い長さＬＷ’を有することができる。これは、着用者の身体構造及び自然な身体移動との一層良好な調和により、前面の一層大きな快適性を実現すると同時に、後方における着用者の臀部領域を一層大きく覆うことを実現する一助となり得る。更に、前方及び後方ベルト部分は、それらの個々の近位のバリア層横方向縁部から、同一距離又は異なる距離で配置されてもよい（すなわち、Ｅは、Ｅ’に等しくてもよく、又はＥはＥ’と異なってもよい）。
【００７３】
実施形態では、腰部機構３２は、例えば図５Ａに示されているとおり、腰部機構ポケット３３を備える。ポケット３３は、シャーシ２０から取り外された、腰部機構３２の部分から形成され得る。
【００７４】
図６に転じると、腰部機構３２は、ベルト３４を含んでもよく、これは、前方及び後方ベルト部分３６、３８を有することができる。前方及び後方ベルト部分３６、３８は、パンツ１２の前方領域及び後方領域を形成する、最外構造体であってもよい。パンツは、前方領域、股領域及び後方領域の全体を包み、かつ最外部のパンツ形状の構造体を形成する外側ラップ４２を含むことができる。一部の実施形態では、バックシートの外側カバー２６０は、外側ラップを形成する。前方及び後方ベルト部分３６、３８を形成する追加の層及び弾性部材４３は、外側ラップ４２の内側に配置され得、積層体を接着する、接合する、又は任意の他の好適な機構により、そこに好適に貼り付けられ得る。外側ラップ４２は、不織ウェブの１つ又は複数の区域から形成され得、所望の場合、好適に調節した脚部の開口部縁部プロファイルをもたらすプロファイルに裁断されてもよい。
【００７５】
前方及び後方ベルト部分３６、３８の一方又は両方を含めた腰部機構３２は、不織ウェブの層から形成されていてもよい。本発明において有用となり得る好適な不織ウェブ材料は、以下に限定されないが、スパンボンド、スパンレイド、メルトブロー、スパンメルト、溶剤紡糸、電界紡糸、梳綿、フィルムフィブリル化、メルトフィルムフィブリル化、空気積層、乾式積層、湿式積層を施したスフ、及び当分野において既知の、部分的又は全体的なポリマー繊維で形成された他の不織ウェブ材料も含む。この不織布ウェブは、主にポリマー繊維で形成することができる。一部の例では、好適な不織布繊維材料としては、以下に限定されないが、ポリオレフィン、ポリエステル、ポリアミド、又は具体的には、ポリプロピレン（ＰＰ）、ポリエチレン（ＰＥ）、ポリ乳酸（ＰＬＡ）、ポリエチレンテレフタレート（ＰＥＴ）、及び／又はこれらのブレンドなどの、ポリマー材料を挙げることができる。一部の例において、繊維は、米国特許第５，２６６，３９２号に記載されているものなどのＰＰ／ＰＥブレンドから形成されていてもよい。不織繊維は、脂肪族ポリエステル、熱可塑性ポリサッカライド又は他のバイオポリマーなどの成分から形成されてもよく、又はそれらの成分を、添加剤又は改質剤として含んでもよい。更に有用な不織布、繊維組成物、繊維及び不織布の形成物、並びに関連方法は、米国特許第６，６４５，５６９号、同第６，８６３，９３３号及び同第７，１１２，６２１号、並びに米国特許出願第１０／３３８，６０３号、同第１０／３３８，６１０号及び同第１３／００５，２３７号に記載されている。不織布層の個々の繊維は、単一成分又は多成分（二成分を含む）であってもよい。多成分繊維は、例えば、コア及びシース配列又は並列配置でのさまざまなポリマー成分を含む、二成分とすることができる。個々の成分は、ポリプロピレン若しくはポリエチレン、又はそれらのコポリマーなどのポリオレフィン、又はポリエステル、熱可塑性ポリサッカライド、又は他のバイオポリマーを含むことができる。
【００７６】
一部の非限定例によれば、ベルト部分に使用される不織布は、外部圧力が加えられて除かれる際に、良好な回復をもたらす材料を含み得る。更に、この不織布は、例えば上記のポリマー繊維のタイプから選択される、さまざまな繊維のブレンドを含んでもよい。一部の例では、それらの繊維の少なくとも一部は、螺旋形状を有するスパイラル捲縮を呈し得る。一例によれば、それらの繊維は、個別の繊維である、二成分の繊維を含むことができ、それぞれが、異なる材料、通常、第１のポリマー材料及び第２のポリマー材料を含む。並列型二成分繊維を使用することは、それらの繊維にスパイラル捲縮を付与するために有益であると考えられている。潜在的に好適な捲縮又は「牽縮」二成分繊維及びこれらから形成される不織布の例は、米国特許第５，３８２，４００号、同第５，４１８，０４５号、同第５，７０７，４６８号、同第６，４５４，９８９号、同第６，６３２，３８６号、同第５，６２２，７７２号及び同第７，２９１，２３９号に記載されている。本明細書の目的のために、例えば、直前に引用されている特許及び／又は特許出願に記載されているものなどの、二成分又は多成分のひだ付き繊維から形成される不織布の使用は、ベルト部分の形成に使用される１つ又は複数の層として望ましいことがあるが、その理由は、これらが、特に手触りが柔らかく感じることができ（着用者にとって内側が快適であり、外側は審美的に感じのよい印象になる）、概してかなり柔軟性に富むからである。
【００７７】
腰部機構３２は、１つ又は複数の弾性部材４３を更に含んでもよい。弾性部材４３は、さまざまなデシテックスレベルの、ＩＮＶＩＳＴＡ（Ｗｉｃｈｉｔａ、ＫＳ）から入手可能なＬＹＣＲＡ（登録商標）繊維などのエラストマー性繊維であってもよい。弾性部材４３はまた、当分野において周知の任意の熱収縮性の弾性材料を含んでいてもよい。他の好適な弾性体は、以下に限定されないが、ゴム、スチレンエチルブチレンスチレン、スチレンエチレンプロピレンスチレン、スチレンエチレンエチレンプロピレンスチレン、スチレンブタジエンスチレン、スチレンイソプレンスチレン、ポリオレフィンエラストマー、ポリウレタンエラストマー、及び当分野で公知の他のエラストマー材料、及びそれらの組合せを含めた、さまざまな他の材料から作製することができる。一部の非限定例では、弾性部材は、任意の数のストランド（又はフィラメント）を有する押し出しストランド弾性体であってもよい。一部の実施形態では、弾性部材は、５０〜２０００範囲のデステックス、又はこの範囲中の任意のデシテックス値に関する任意の整数値を有することができる。当業者であれば、所望の収縮量、及び本明細書において議論されている他の原理に基づき、適切なデシテックスを選択することができる。更なる実施形態では、弾性部材はフィルムの形態にあってもよい。フィルムの例は、先行特許出願において記載されている（例えば、米国特許出願公開第２０１０／００４０８２６号を参照されたい）。このフィルムは、いくつかの副層のうちの少なくとも１つで組み合わされた、さまざまな樹脂を用いて作製することができ、それら副層により、そのフィルムにはさまざまな有益性がもたらされる。
【００７８】
更に弾性部材４３は、複数の構成をとることができる。例えば、パッケージは、弾性材料の単一のストランド又は複数の平行又は非平行のストランドが使用されてもよく、直線及び曲線を含むさまざまな形状が使用されてもよく、又はさまざまな断面形状を使用することができる（円形、矩形、正方形など）。
【００７９】
腰部機構３２及び／又はシャーシ２０の層は、層間に堆積する接着剤によって、熱接合によって、圧縮接合によって、又はこれらの組合せによって、弾性ストランド４３の周囲に一緒に接合することができる。他の例では、１つ又は複数の弾性部材は、エラストマー材料から形成されるフィルムのストリップ又は断片とすることができる。弾性部材が細長い場合、ストランド４３が例えば図６に図示されているとおり、長い方の寸法が横方向に向けられるか、又は横方向に実質的に配列していることさえ望ましいことがある。
【００８０】
腰部機構３２は、少なくとも３種の腰部弾性部材４３、少なくとも５種の弾性部材４３、少なくとも１０種の腰部弾性部材４３、又は少なくとも１５種の腰部弾性部材４３、又は約２〜約３５種の腰部弾性部材、又は約５〜約２５種の腰部弾性部材を含んでもよく、各範囲に関して、その範囲内の１増分毎に列挙される。
【００８１】
一実施形態では、隣接する弾性部材４３は、この部材の縁部の一方からこの部材の他方の縁部まで少なくとも３．５ｍｍ離れた、場合により少なくとも４ｍｍ離れた、場合により少なくとも４．５ｍｍ離れた、場合により少なくとも５ｍｍ離れた、場合により少なくとも５．５ｍｍ離れた、場合により少なくとも６ｍｍ離れた、場合により少なくとも６．５ｍｍ離れた、場合により少なくとも７ｍｍ離れた、場合により少なくとも７．５ｍｍ離れた、場合により少なくとも８ｍｍ離れた、場合により少なくとも８．５ｍｍ離れた、場合により少なくとも９ｍｍ離れた、場合により少なくとも９．５ｍｍ離れた、場合により少なくとも１０ｍｍ離れた、場合により少なくとも１０．５ｍｍ離れた、場合により少なくとも１１ｍｍ離れた、場合により少なくとも１１．５ｍｍ離れた、場合により少なくとも１２ｍｍ離れた長手方向の距離で間隔が設けられている。弾性部材間の間隔設定は、腰部機構の長手方向の長さに全体に同じであってもよく、又は異なっていてもよい。例えば、隣接する弾性部材間の間隔設定は、均一に７ｍｍとすることができるか、又はさまざまな間隔設定（すなわち、２つの隣接する弾性部材は３ｍｍ離れており、別の２つは、６．５ｍｍ離れているなど）とすることができる。
【００８２】
腰部機構の製造中に、弾性部材４３は、腰部機構に組み込むのに望ましい量によって、あらかじめ歪みが与えられてもよい。腰部機構のその後の緩和に際して、弾性部材は、それらの非歪み長さに向かって横方向に収縮するであろう。これにより、腰部機構の層に折り目が付き、弾性部材４３の長さ方向を概ね横断する隆起部及び谷部を有し、かつｚ方向に延在するひだ又はしわが形成され得る。
【００８３】
更なる実施形態では、腰部機構積層体の構成要素を接着するために、腰部積層体中に組み込む前に、弾性部は、接着剤により個別にコーティングされてもよい（「コーティングストランド」）。ストランドコーティング法及び技法を含めた、さまざまなコーティング方法及び技法が、例えば、米国特許第５，３４０，６４８号、同第５，５０１，７５６号、同第５，５０７，９０９号、同第６，０７７，３７５号、同第６，２００，６３５号、同第６，２３５，１３７号、同第６，３６１，６３４号、同第６，５６１，４３０号、同第６，５２０，２３７号、同第６，５８２，５１８号、同第６，６１０，１６１号、同第６，６１３，１４６号、同第６，６５２，６９３号、同第６，７１９，８４６号及び同第６，７３７，１０２号に示されている。使用する接着剤は、事前に歪みが付与された弾性材料を基材に取り付けるために好適にした、弾性及び可撓性を有するホットメルト型接着剤（Ｂｏｓｔｉｋ，Ｉｎｃ．（Ｗａｕｗａｔｏｓａ、Ｗｉｓｃｏｎｓｉｎ）から入手可能なＯＭＮＩＭＥＬＴ  ＢＬＯＣＫＳ  ２２  Ｈ２４０１Ｆ、又はＡＶＡＮＣＥなどのＺＥＲＯＣＲＥＥＰ（商標）など）とすることができる。
【００８４】
ある種の実施形態では、図６において示唆されるとおり、前方及び／又は後方ベルト部分の角は、切り取られていてもよい。特定の湾曲脚部縁部プロファイルをもたらすことが望ましいものとなり得るように、角は、直線に沿って切り取られていてもよく、又はベルト部分の残りの領域に関して凹又は凸のどちらかで曲線状となっている切り取り経路に沿って切り取られていてもよい（図６）。上記のこのような切り取り、及び弾性ストランドの構成に連動して、個々のベルト部分３６、３８の縁部に沿った層間に接合を付与することが望ましいことがある。このような接合は、不揃いの外観を作り出す一因となり得る縁部に沿った層の任意の分離を防止するために役立てることができ、シーム４０より下の弾性ストランドの収縮力の下で、後方ベルト部分を内側に横方向で中心シャーシ２０に向かって効率的に引っ張る助けもすることができる。接合は、例えば、熱的接合若しくは溶接により、又は層間の接着剤の堆積によって、米国特許第４，８５４，９８４号及び同第４，９１９，７３８号に記載されている機械接合／圧縮接合により行うことができる。非限定例では、このような接合は、縁部に沿ってパターンを形成し得る。このような接合は、概ね、個々のベルト部分３６、３８を積層構造体として一緒に保持する層間の任意の接合を補うものであってもよい。
【００８５】
サイドシーム４０は、恒久的であっても再固定可能であってもよい。恒久的シームは、任意の接合機構によって前方ベルト部分と後方ベルト部分との間で形成され得、前方ベルト及び後方ベルト部分は、前方及び後方ベルト部分の片方又は両方に大きな損傷を与えることなく、又は実質的な再取付け若しくは再固定を行うことができる機構を含ませることなく、強制的に分離することはできない。恒久的シームを形成する接合は、圧縮接合、熱接合／溶接、超音波接合、又は接着剤による接合を含み得る。再固定可能なシームは、前方及び後方ベルト部分の実質的に非破壊性の強制的分離、及び後続する同じ位置における実質的な再取付け又は再固定を可能にするように構成されている任意の機構によって、前方ベルト部分と後方ベルト部分との間に形成され得る。このような機構の一例は、留め金式固定システム、例えばＶＥＬＣＲＯ固定システムである。好適なサイズ及び形状のホック部品は、これらが一緒になって係合し、シーム４０を形成することができる位置において、その長手方向縁部に沿って前方又は後方ベルト部分の片方に接合されていてもよく、好適なサイズ及び形状のループ部品が、その長手方向縁部に沿って前方又は後方ベルト部分の他方に接合されていてもよい。例は、米国特許出願第６１／７８７，４１６号、同第６１／７８７，３３２号、同第６１／６６６，０６５号に図示されている。
【００８６】
図３を参照して上で言及されているとおり、腰部機構３２の外側寄りの縁部３２６は、バリア層の横方向縁部２６３を超えて延在していてもよい。この点では、図３に図示されているとおり、腰部機構は、遊び部分３３０及び重なり部分３３２を備えることができる。遊び部分３３０は長さＥをなすことができ、このＥは、約１０ｍｍ以上、又は約１５ｍｍ以上、又は約２０ｍｍ以上、又は約２０ｍｍ〜約１００ｍｍであり、当該範囲について、この範囲の５ｍｍ増分毎に列挙される。一部の実施形態では、重なり部分３３２は、遊び部分より大きな力を含むことがある。本教示により設計された腰部機構は、より少ない過剰材料（例えば、バックシート及びコア中）を含み、これにより、公知の腰部機構と比べた場合、必要な収縮力の量を低減することができる。通常、腰部機構は、着用者の周辺に窮屈な弾力性の接触をもたらし、これは、皮膚刺激及び不快感に至る。遊び部分における力の減少により、弾力性によって着用者にもたらされる圧力が低下し、これにより、快適性が向上して、皮膚刺激の可能性が低減される。力の差異を作り出す方法の非限定な例としては、内側弾性部材に、より大きな歪みレベルを加えること、内側弾性部材のデシテックスをより大きくすること、内側弾性部材の直径をより大きくすること、内側弾性部材と外側弾性部材との間で基材材料を変えること（すなわち、内側弾性部材がより大きなヤング率又は剛性を有するようにすること）、外側よりも内側に、より多くの弾性部材を配置すること、及びより外側に配置された弾性部材と比べて、隣接する内側の弾性部材間の長手方向間隔をより狭くすることが挙げられる。
【００８７】
特徴は、本明細書における１つの腰部機構又は１つのベルト部分に関して記載され得るが、第２の腰部機構及び／又は第２のベルト部分もまた、以下に限定されないが、遊び部分、重なり部分、前述の長さ、弾性部材及び力の差異を含めた、当該特徴を含むことができる。複数の腰部機構及び／又はさまざまなベルト部分は、実質的に同じ特徴及び／又はその特徴の中で差異を含んでもよい（例えば、後方の腰部部分は、前方の腰部部分の遊び部分よりも長い長さを有する遊び部分を備えていてもよい）。
【００８８】
耳部
吸収性物品１０は、前側耳部及び／又は後方耳部５０を含んでもよい。耳部は、伸張可能であってもよく、伸張可能でなくてもよく、弾性であってもよく、又は非弾性であってもよい。耳部５０は、シャーシ及び／又は腰部機構と一体化されていてもよい。代替的に、耳部は、シャーシ及び／又は腰部機構とは個別であってもよい。耳部５０は、不織布ウェブ、織布ウェブ、編布地、ポリマーフィルム及びエラストマーフィルム、有孔フィルム、スポンジ、発泡体、スクリム、並びにこれらの組合せ、及び積層体から形成されていてもよい。一部の実施形態では、耳部は、耳部が伸縮性となるよう、エラストマー（例えば、弾性ストランド、ＬＹＣＲＡ（登録商標）繊維）を含んでいてもよい。ある種の実施形態では、耳部は、不織布／エラストマー性材料積層体又は不織布／エラストマー材料／不織布積層体などの伸縮性積層体から形成され得、これにより、耳部の伸縮性をやはりもたらす。伸縮性積層体は、当分野において公知の任意の方法によって形成され得る。例えば、耳部は、不織布材料とエラストマー性要素との層を少なくとも含む、ゼロ歪み伸縮性積層体として形成されてもよい。弛緩状態又は実質的に弛緩状態をとりながら、エラストマー性要素が不織布材料の層に取り付けられ、得られた積層体に、不織布層を恒久的に伸長させるが、エラストマー性要素を一時的に伸長させる活性化処理を施すことにより、伸縮性（又は、更に広い範囲にわたり一層の伸縮性）となる。不織布層は、シャーシ２０の少なくとも一部と一体化されていてもよく、この場合、エラストマー性要素は、不織布層に取り付けられていてもよく、続いて、不織布／エラストマー性要素の積層体が活性化される。代替的に、不織布層は、個別の構成要素であってもよく、この場合、エラストマー性要素が不織布層に取り付けられて積層体が形成され、次いで、この積層体が本体部分に繋ぎ合わされる。耳部５０の１つ又は複数の層が、別個に設けられる場合、積層体は、本体部分に取り付けられる前又は後のいずれかで活性化されてもよい。ゼロ歪み活性化プロセスは、米国特許第５，１６７，８９７号及び同第５，１５６，７９３号に更に開示されている。好適な弾性耳部は、２つの不織布層（例えば、供給元コードＦＰＮ３３２としてＢＢＡ  Ｆｉｂｅｒｗｅｂ（Ｂｒｅｎｔｗｏｏｄ，ＴＮ）から入手可能）の間に配置されたエラストマーフィルム（例えば、Ｔｒｅｄｅｇａｒ  Ｃｏｒｐ（Ｒｉｃｈｍｏｎｄ、ＶＡ）から供給元コードＸ２５００７として入手可能なものなど）を含む、活性化積層体とすることができる。
【００８９】
耳部５０は、高度に伸張可能であってもよく、この場合、耳部５０は、最大１５０％まで伸張可能である。高度に伸張可能な耳部５０により、吸収性物品１０を、体形及び／又は体重がさまざまな、幅広い着用者に快適にフィットするように、伸張可能なものとすることができると考えられる。高度に伸張可能な好適な耳部は、米国特許第４，１１６，８９２号、同第４，８３４，７４１号、同第５，１４３，６７９号、同第５，１５６，７９３号、同第５，１６７，８９７号、及び同第５，４２２，１７２号、及び同第５，５１８，８０１号、国際公開第２００５／１１０７３１号及び米国特許出願第２００４／０１８１２００号及び同第２００４／０１９３１３３号に記載されている。
【００９０】
固定具
吸収性物品１０はまた、図７に示されている固定システム５５を含むことができる。固定システム５５は、固定されると、第１の腰領域１６と後方腰領域１８とを相互接続し、その結果、吸収性物品１０の着用中に着用者を取り囲み得る腰外周がもたらされる。固定システム５５は、テープタブ、フックとループの固定用構成要素、タブ及びスロット、バックル、ボタン、スナップ、及び／又は雌雄同体締固定構成要素などの係合固定具を含んでもよいが、他の既知の任意の固定手段も、一般に許容される。一部の例示的な表面固定システムは、米国特許第３，８４８，５９４号、同第４，６６２，８７５号、同第４，８４６，８１５号、同第４，８９４，０６０号、同第４，９４６，５２７号、同第５，１５１，０９２号及び同第５，２２１，２７４号に開示されている。例示的な係合固定システムは、米国特許第６，４３２，０９８号に開示されている。固定システム５５はまた、米国特許第４，９６３，１４０号に開示されているとおり、廃棄構成において物品を保持する手段を提供することができる。固定システム３６はまた、米国特許第４，６９９，６２２号に開示されている一次及び二次固定システムを含んでもよい。固定システム５５は、米国特許第５，２４２，４３６号、同第５，４９９，９７８号、同第５，５０７，７３６号、及び同第５，５９１，１５２号に開示されているとおり、重なり部分を低減する、又は装着感を改善するよう構成されていてもよい。一部の実施形態では、固定システム３６及び／又は固定具３８は、折り畳み可能である。固定システム５５は、任意の好適な手段によって物品１０の任意の好適な部分に接合され得る。一部の実施形態では、固定システムは、ベルト３４に接合される。他の実施形態では、固定システムは、耳部５０に接合される。
【００９１】
脚部ガスケットシステム
図１及び図７に示されているとおり、吸収性物品１０は、シャーシ２０に取り付けられた脚部ガスケットシステム７０を備えていてもよく、このシャーシは、１つ又は複数のカフを備えることができる。図７により示唆される実施形態では、脚部ガスケットシステムは、一対のバリア脚部カフ７２を備え得る。それぞれのバリア脚部カフは、吸収性物品に接合される一片の材料によって形成され得、したがって吸収性物品の着用者に面する表面から上方向に延在することができ、かつ着用者の胴及び脚の接合部付近で液体及び他の身体の排泄物の封じ込めの改善を実現することができる。バリア脚部カフは、トップシート２４及び／又はバックシート２６に直接又は間接的に接合された近位縁部、及び着用者の肌に接触して着用者の皮膚との封止を形成することを意図する自由端縁部によって境界を定めることができる。一部の実施形態では、自由端縁部は折り曲げられた縁部を備える。バリア脚部カフ７２は、長手方向中心線１００の反対側の両側の第１と第２の横方向シャーシ縁部２１、２２との間に少なくとも部分的に延在し、かつ股領域内に少なくとも存在する。バリア脚部カフは、接着、溶融接合、又は他の好適な接合処理の組合せによって行うことができる、接合によって、近位縁部で物品のシャーシと接合され得る。バリア脚部カフは、トップシート２４又はバックシート２６と一体化されていてもよく、又は物品のシャーシに接合された別個の材料であってもよい。各バリア脚部カフ７２は、より良好な封止を実現するため、自由端縁部に近接して１つ、２つ又はそれ超の弾性要素４３を備えてもよい。
【００９２】
バリア脚部カフ７２に加えて、物品は、吸収性物品のシャーシ、特にトップシート２４及び／又はバックシート２６に接合され、かつバリア脚部カフ７２に対して外側に設置されたガスケットカフ７６を備え得る。ガスケットカフ７６は、着用者の大腿の周りにより効果的な封止をもたらすことができる。ガスケットカフは、近位縁部及び自由端縁部を備え得る。自由端縁部は、折り曲げられた縁を備え得る。各ガスケットカフは、脚開口部の領域におけるトップシート２４とバックシート２６との間の吸収性物品のシャーシに１つ又は複数の弾性要素４３を備え得る。バリア脚部カフ及び／又はガスケットカフの全部若しくは一部を、ローション又は別のスキンケア組成物で処理してもよい。
【００９３】
更なる実施形態では、脚部ガスケットシステムは、ガスケットカフと一体化されたバリア脚部カフを備える。吸収性物品の一部となり得る好適な脚部ガスケットシステムは、米国特許出願第６２／１３４，６２２号、同第１４／０７７，７０８号、米国特許第８，９３９，９５７号、同第３、８６０，００３号、同第７，４３５，２４３号、同第８，０６２，２７９号に開示されている。
【００９４】
層の組合せ
図３に戻ると、物品１０の層は、空間の使用を最大限にするために組み合わされてもよい。例えば、層は、吸収領域の量を最大化し、これにより物品のサイズに対する吸収量を最大化するために組み合わされてもよい。
【００９５】
ある種の実施形態では、吸収領域ＬＡＢの最大長さは、バリア層の最大長さＬＢＳの約８０％以上、又は約８５％以上、又は約９０％以上、又は約９５％以上である。このように、吸収性材料の空間は、バリア層の長さに沿って最大化される。更に又は代替的に、コアラップの最大長さＬＣＷは、バリア層の最大長さＬＢＳと実質的に同じとすることができるか、又はバリア層の最大長さＬＢＳの約８０％以上、又は約９０％以上、又は約９５％以上、又は約１００％とすることができる。これはまた、吸収性材料の効率的な配置及び配置の最大化を確実にする一助となる。更なる実施形態では、吸収領域ＡＡＢは、バリア層領域ＡＢＳの約７０％以上、又は約８０％以上、又は約９０％以上、又は約７０％〜約１００％であり、当該範囲について、この範囲内の５％増分毎に列挙される。更に又は代替的に、コアラップの領域ＡＣＷは、バリア層領域ＡＢＳと実質的に同じであるか、又はバリア層領域ＡＢＳの約８０％以上、又は約９０％以上、又は約９５％以上、又は約１００％である。
【００９６】
更なる実施形態では、第１の吸収領域横方向縁部２９４は、第１のバリア層の横方向縁部２６３から距離Ｄ１に配置されている。非限定例では、Ｄ１は、バリア層の最大長さＬＢＳの約３％以下、又は約５％以下、又は約１０％以下、又は約２％〜約１５％であり、当該範囲について、この範囲内の１％増分毎に列挙される。このように、吸収性材料は物品の前面により近くに置かれ、この場合、より大きな飽和度が、時として発生する可能性が一層高い。更に又は代替的に、第２の吸収領域横方向縁部２９５は、第２のバリア層の横方向縁部２６４から距離Ｄ２に配置され得る。非限定例では、Ｄ２は、バリア層の最大長さＬＢＳの約３％以下、又は約５％以下、又は約１０％以下、又は約２％〜約１５％若しくはそれ未満であり、当該範囲について、この範囲内の１％増分毎に列挙される。一部の実施例では、Ｄ１及びＤ２はどちらも、バリア層の最大長さＬＢＳの約３％以下、又は約５％以下、又は約１０％以下、又は約２％〜約１５％であり、当該範囲について、この範囲内の１％増分毎に列挙される。
【００９７】
第１の吸収領域横方向縁部２９４は、第１の腰部縁部１３から距離Ｘ１に配置され得る。一部の非限定例では、Ｘ１は、約１００ｍｍ以下、又は約５０ｍｍ以下、又は約３０ｍｍ以下、又は約２０ｍｍ以下、又は約２０ｍｍ〜約１００ｍｍであり、各範囲について、この範囲内の１０ｍｍ増分毎に列挙される。更なる実施形態では、第２の吸収領域横方向縁部２９５は、第２の腰部縁部１９から距離Ｘ２に配置され得る。一部の非限定例では、Ｘ２は、約２０ｍｍ以下、又は約３０ｍｍ以下、又は約５０ｍｍ以下、又は約２０ｍｍ〜約１００ｍｍである。距離Ｘ１及びＸ２は、同一であってもよく、又は異なってもよい。一部の実施形態では、腰部機構の外側寄り縁部３２６は、図３に示されているとおり、第１又は第２の腰部縁部を備える。
【００９８】
第１のバリア層の横方向縁部２６３は、第１の腰部縁部１３から距離Ｙ１に配置されていてもよく、かつ／又は第２のバリア層の横方向縁部２６４は、第２の腰部縁部１９から距離Ｙ２に配置されていてもよい。非限定例では、Ｙ１及び／Ｙ２は、約１０ｍｍ以上、又は約１５ｍｍ以上、又は約２０ｍｍ以上、又は約１０〜約１００ｍｍ、又は約２０ｍｍ〜約５０ｍｍとすることができ、当該範囲について、この範囲内の１０ｍｍ増分毎に列挙される。距離Ｙ１及びＹ２は、同一であってもよく、又は異なってもよい。一部の実施形態では、腰部機構の外側寄り縁部３２６は、図３に示されているとおり、第１又は第２の腰部縁部を備える。このような実施形態では、Ｙ１及び／又はＹ２は、それぞれＥ及び／又はＥ’に等しいことがある。更に又は代替的に、バリア層の横方向縁部２６３、２６４は、シャーシ横方向縁部２１、２２と境界を接していてもよい。他の実施形態では、バリア層の横方向縁部は、シャーシ横方向縁部と境界を接していない。
【００９９】
上述の各々は、物品内の吸収領域を最大化する。物品内の空間の効率的な使用は、チャネルなどの特徴の強化を可能にし、このことは、当該特徴が存在する、吸収性材料の欠如による吸収力を犠牲にすることなく、装着性を改善する。更に、この空間により、更なる嵩又は密度が生じることなく、より多量の吸収性材料を含ませること、及びより大きな総合的な吸収力を可能にする。同様に、本明細書における教示により作製される物品は、バリア層材料などの過剰のバックシート材料を削減することができる。過剰の材料は多くの場合、製品の不具合、消費者へのしっかりとした装着性の欠如を示し、かつ／又は着用者、とりわけ成人の失禁用物品の着用者にとって望ましくないおそれのある過度の不満（noise）を引き起こすことがある。本教示はまた、脚部カフを固定するために使用される、接着部又はタックダウン接合（tackdown bond）などの他の接合の低減を可能にする。通常、脚部カフは、コアラップ横方向縁部と腰部縁部との間のシャーシに接合されて、装着中にカフに隙間ができるのを防止する。ここで、コアは、腰部縁部に接近しているので、カフのタックダウン接合は、公知の物品に比べて短くすることができるか、又はなくすことができ、これにより、加工工程及び／又は接合用材料のコストが低減する。更に、本明細書に処方されるコアラップの長さ及び／又は吸収性堆積領域の長さにより、物品が排泄物を収容するのを目視で確実にすることができる。更に、腰部機構ポケット３３を備える実施形態では、腰部機構３２は直立して、コア２８に排泄物を再方向付けすることができる。本明細書において開示されている腰部機構にコアを近接近させることを考慮すると、コアは、当該排泄物の吸収を一層良好に可能にする。
【０１００】
図８〜９Ｂに例示されている更なる実施形態では、物品１０は、吸収性コア２８の対向する端部を封止するよう構成されている１つ又は複数の封止部分２１０を備えることができる。例えば、図９Ａに示されているとおり、第１の封止層２１０ａは、第１の横方向のコアラップ縁部２９０と第１の横方向シャーシ縁部２１とが重なるよう構成され得る。一部の実施形態では、コアラップ縁部２９０は、第１の横方向シャーシ縁部２１と同一広がりを有してもよい。したがって、第１の封止層２１０ａは、トップシート２４及び着用者に面するベルト部分３２２と接続され得、こうして、トップシート２４、バックシート２６及びコアラップ２８２は、着用者に面する内側部分３２２と第１の封止層２１０ａとの間に位置付けられる。図９Ｂに示されているとおり、第２の封止層２１０ｂは、第２のコアラップの横方向縁部２９１と第２のシャーシ横方向縁部２２とが重なるよう構成され得る。一部の実施形態では、第２のコアラップの横方向縁部２９１は、第２のシャーシ横方向縁部２２と同一の広がりを有することができる。したがって、第２の封止層２１０ｂは、トップシート２４及び弾性ベルトの着用者に面する内側部分３２２と接続され得、こうして、トップシート２４、バックシート２６及びコアラップ２８２は、着用者に面する内側部分３２２と第２の封止層２１０ｂとの間に位置付けられる。
【０１０１】
封止層２１０は、さまざまな方法で形成されてもよいことを理解されたい。例えば、図９Ａ及び９Ｂにおいて示されているとおり、第１の封止層２１０ａは、トップシート２４上に折り畳みまれ、かつ前方ベルト部分３６の着用者に面する内側部分３２２と直面する関係で置かれる、第１のベルト部分３６の衣類に面する外側部分３２０の一部を含んでもよい。また、第２の封止層２１０ｂは、トップシート２４上に折り畳みまれ、かつ後方ベルト部分３８の着用者に面する内側部分３２２に直面する関係で置かれる、後方ベルト部分３８の衣類に面する外側部分３２０の一部を含んでもよい。封止層２１０は、着用者に面する内側部分３２２及びトップシート２４に接合されて、吸収性材料２８０が、吸収性コア２８から、第１及び第２の支持層２８６、２８６’（すなわち、コアラップ２８２）の間から、及び／又はバックシート２６とトップシート２４との間から、長手方向に移動する又は外れ出るのを防止する一助となり得ることが認識されよう。一部の構成における、前方及び／又は後方ベルト部分３６、３８の一部を折り畳んで封止層を形成することとは反対に、封止層２１０は、前方及び／又は後方ベルト部分に接合される、個別の材料ストリップから形成されてもよい。
【０１０２】
本明細書において開示されている物品は、Ｐｒｏｃｔｅｒ  ＆  Ｇａｍｂｌｅ  Ｃｏｍｐａｎｙに譲渡された、代理人整理番号１４６３１Ｐの元で出願された、米国特許出願の教示にしたがい製造することができる。
【０１０３】
組合せ
Ａ．
第１の腰領域、第２の腰領域、及び第１の腰領域と第２の腰領域との間に配置された股領域、
長手方向中心線、及び横方向中心線と、
トップシート、バックシート、及びトップシートとバックシートとの間に配置された吸収性コアを備えるシャーシと、
第１及び／又は第２の腰領域においてシャーシに接合されている腰部機構、並びに、当該第１及び／又は第２の腰領域においてシャーシの長手方向外側に延在して、遊び部分を形成する部分と
を備えた、吸収性物品であって、
バックシートが、第１のバリア層横方向縁部と第２のバリア層横方向縁部との間に延在する、最大長さＬＢＳを有するバリア層を備えており、
吸収性コアが、最大長さＬＣＷを有するコアラップに封入されている吸収性材料を含み、ＬＣＷが、ＬＢＳと実質的に同じであり、
吸収性材料が吸収性材料の堆積領域に配置されており、吸収性材料の堆積領域が、第１の吸収領域横方向縁部と第２の吸収領域横方向縁部との間に延在する、最大長さＬＡＢを有する、
吸収性物品。
Ｂ．ＬＡＢが、ＬＢＳの約９０％以上となる、段落Ａによる吸収性物品。
Ｃ．第１の吸収領域横方向縁部が、第１のバリア層横方向縁部から、長手方向の距離Ｄ１で配置され、Ｄ１が、ＬＢＳの５％以下である、段落Ａ又はＢによる吸収性物品。
Ｄ．第２の吸収領域横方向縁部が、第２のバリア層横方向縁部から、長手方向の距離Ｄ２で配置され、Ｄ２が、ＬＢＳの５％以下である、上記段落のいずれかによる吸収性物品。
Ｅ．遊び部分が、約１５ｍｍ以上、又は約２０以上の長さＥをなす、上記段落のいずれかによる吸収性物品。
Ｆ．バリア層が通気性をもつ、上記段落のいずれかによる吸収性物品。
Ｇ．腰部機構が通気性をもち、場合により腰部機構がバリア層よりも通気性をもつ、上記段落のいずれかによる吸収性物品。
Ｈ．吸収性材料が超吸収性ポリマー材料を含む、上記段落のいずれかによる吸収性物品。
Ｉ．ＣＲＣ試験方法に準拠すると、少なくとも約２００ｇの全吸収能を更に含む、上記段落のいずれかによる吸収性物品。
Ｊ．腰部機構がポケットを備える、上記段落のいずれかによる吸収性物品。
Ｋ．腰部機構の一部が、吸収性コアの周辺を少なくとも部分的に包んでいる、上記段落のいずれかによる吸収性物品。
Ｌ．物品が固定システムを更に備える、上記段落のいずれかによる吸収性物品。
Ｍ．物品がパンツを含む、上記段落のいずれかによる吸収性物品。
Ｎ．最大長さＬを更に含む、上記段落のいずれかによる吸収性物品であって、バリア層の最大長さＬＢＳが、Ｌの約７５％未満であり、かつ／又は最大長さＬが、約６００ｍｍ以下である、吸収性物品。
Ｏ．第１の吸収領域横方向縁部が、第１の腰部縁部の約５０ｍｍ以内にある、上記段落のいずれかによる吸収性物品。
Ｐ．吸収性材料が、約１５重量％以下のセルロース系材料を含む、上記段落のいずれかによる吸収性物品。
Ｑ．腰部機構が少なくとも約２５ｍｍのＬｗとなる長さを有する、上記段落のいずれかによる吸収性物品。
Ｒ．腰部機構がサイドシームを備える、上記段落のいずれかによる吸収性物品。
Ｓ．吸収性材料の堆積領域が吸収領域を備え、バリア層が、バリア層領域を備え、吸収領域が、バリア層領域の少なくとも約９０％となる、上記段落のいずれかによる吸収性物品。
【０１０４】
試験方法
湿式チャネル飽和度試験
この試験は、湿式飽和後のチャネルの可視性を確認するように構成されている。この試験は、吸収性物品に、又は個別に切り取った吸収性コアに直接、行うことができる。
【０１０５】
１．チャネルの全長（ｍｍ）は、乾燥状態で測定される（チャネルが真っ直ぐでない場合、チャネルの中央を通る曲線上の長さが測定される）。
２．次に、吸収性物品又はコアを、大過剰（例えば、５リットル）の合成尿「生理食塩水」（適量の塩化ナトリウムを蒸留水に溶解することにより調製される、１０００ｍｌあたり９．００ｇのＮａＣｌ濃度の溶液）に完全に浸漬する。溶液の温度は２０＋／−５℃でなくてはならない。
３．生理食塩水中で１分後、吸収性物品又はコアを取り出し、排水するために一端を５秒間、垂直に把持し、次に、着用者に面することが意図されている着用者（トップシート）の側を上にして、水平面に平坦に広げる。吸収性物品又はコアは、伸縮要素を含み、これらは、収縮が観察されないように、Ｘ寸法及びＹ寸法の両方においてピンと張る。吸収性物品又はコアの前方縁部及び後方縁部を、収縮が起こり得ないよう、水平面に固定した。
４．チャネルは、視力を矯正した、又はしていない（aided or unaided）正常な視力を有する人によって観察する。
【０１０６】
本明細書に開示した寸法及び値は、列挙された正確な数値に厳密に限定されるものと理解されるべきではない。むしろ、特に指定されないかぎり、そのような各寸法は、列挙された値とその値の周辺の機能的に同等の範囲の両方を意味することが意図されている。例えば、「４０ｍｍ」と開示された寸法は、「約４０ｍｍ」を意味するものとする。
【０１０７】
相互参照される又は関連特許若しくは出願のいずれも含めた、本明細書に引用されているすべての文書は、明示的に除外される、又は特に限定されないかぎり、参照によりその全体が本明細書に組み込まれている。いかなる文献の引用をも、本明細書中で開示又は特許請求されている任意の発明に関する先行技術であるとは認められず、或いは上記の引用は、単独で又は他の任意の参考文献（単数又は複数）と組み合わせて、そのような任意の発明を教示、示唆又は開示するとは認められない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【０１０８】
本発明の特定の実施形態を例示及び説明してきたが、本発明の趣旨及び範囲から逸脱することなく他のさまざまな変更及び修正を行うことができる点は当業者には明白であろう。したがって、本発明の範囲内に含まれるそのようなすべての変更及び修正は、添付の特許請求の範囲にて網羅することを意図したものである。
【図１】
2020500631.tif 000003
【図２】
2020500631.tif 000004
【図３】
2020500631.tif 000005
【図４】
2020500631.tif 000006
【図５Ａ】
2020500631.tif 000007
【図５Ｂ】
2020500631.tif 000008
【図６】
2020500631.tif 000009
【図７】
2020500631.tif 000010
【図８】
2020500631.tif 000011
【図９Ａ】
2020500631.tif 000012
【図９Ｂ】
2020500631.tif 000013
【国際調査報告】
2020500631.tif 000014
2020500631.tif 000015